(57)【要約】【課題】凝縮器３９の放熱量を大きくして冷却能力を向上できる冷蔵庫を提供することを目的とする。【解決手段】貯蔵物を冷蔵保存する冷蔵室４と、製氷を行う製氷皿２２を配した製氷室２１と、冷凍サイクルを運転する圧縮機３１を配した機械室６と、冷凍サイクルの低温部に配して冷気を生成する冷却器３５と、機械室６内に配して冷却器３５の除霜水を回収する蒸発皿１６と、冷凍サイクルの高温部に配して蒸発皿１６の除霜水に浸漬される凝縮器３９と、冷蔵室４に配される給水タンク１８と、給水タンク１８から製氷皿２２に給水を行う第１給水経路と、給水タンク１８から蒸発皿１６に給水を行う第２給水経路と、を備えた。【選択図】図３
2014048031.tif 000002
【特許請求の範囲】
【請求項１】
貯蔵物を冷蔵保存する冷蔵室と、
製氷を行う製氷皿を配した製氷室と、
冷凍サイクルを運転する圧縮機を配した機械室と、
冷凍サイクルの低温部に配して冷気を生成する冷却器と、
前記機械室内に配して前記冷却器の除霜水を回収する蒸発皿と、
前記冷凍サイクルの高温部に配して前記蒸発皿の除霜水に浸漬される凝縮器と、
前記冷蔵室に配される給水タンクと、
前記給水タンクから前記製氷皿に給水を行う第１給水経路と、
前記給水タンクから前記蒸発皿に給水を行う第２給水経路と、
を備えたことを特徴とする冷蔵庫。
【請求項２】
前記給水タンクから導出される給水パイプが給水ポンプの下流に配した切替弁を介して分岐する第１分岐部と第２分岐部とを有し、第１分岐部を介して前記製氷皿に給水するとともに第２分岐部を介して前記蒸発皿に給水することを特徴とする請求項１に記載の冷蔵庫。
【請求項３】
前記蒸発皿の貯水量を検知するセンサを備え、
前記蒸発皿の貯水量が所定量以下になると、前記給水タンクの水が前記蒸発皿に導出されることを特徴とする請求項１又は２に記載の冷蔵庫。
【請求項４】
前記凝縮器が前記蒸発皿の内底面に接して配されることを特徴とする請求項１〜３のいずれかに記載の冷蔵庫
【請求項５】
前記冷却器の除霜水又は前記給水タンク内の水が前記凝縮器上に導かれ、前記凝縮器を伝って前記蒸発皿に回収されることを特徴とする請求項１〜４のいずれかに記載の冷蔵庫。
【発明の詳細な説明】
【技術分野】
【０００１】
本発明は機械室内に除霜水を回収する蒸発皿を備えた冷蔵庫に関する。
【背景技術】
【０００２】
従来の冷蔵庫は特許文献１に開示されている。この冷蔵庫は断熱材を充填した断熱箱体により複数の貯蔵室を形成した本体部を備えている。各貯蔵室の前面は断熱扉により開閉される。
【０００３】
貯蔵室の背後には冷気が流通する冷気通路が設けられ、冷気通路内には冷凍サイクルの低温部を形成する冷却器が配される。冷却器と熱交換により生成された冷気は貯蔵室に送出され、貯蔵室が冷却される。
【０００４】
本体部の後方下部には断熱箱体の下方に配される機械室が設けられる。機械室内には圧縮機、凝縮器及び蒸発皿が設けられる。圧縮機は背面から見て左側に配され、冷媒を流通させて冷凍サイクルを運転する。
【０００５】
凝縮器は背面から見て右側に設置され、冷凍サイクルの高温部に配される。蒸発皿は凝縮器の下方に配され、冷却器の除霜水を回収する。蒸発皿内の除霜水は機械室内の凝縮器の発熱によって昇温され、大気中に回収される。
【先行技術文献】
【特許文献】
【０００６】
【特許文献１】特開２００９−７９７７８号公報
【発明の概要】
【発明が解決しようとする課題】
【０００７】
しかしながら、上記従来の冷蔵庫によると、蒸発皿内に除霜水が貯水されていない場合には凝縮器は除霜水の潜熱を利用することができない。このため、凝縮器の放熱量が不十分であるという問題があった。
【０００８】
本発明は凝縮器の放熱量を大きくして冷却能力を向上できる冷蔵庫を提供することを目的とする。
【課題を解決するための手段】
【０００９】
上記目的を達成するために本発明の冷蔵庫は、貯蔵物を冷蔵保存する冷蔵室と、製氷を行う製氷皿を配した製氷室と、冷凍サイクルを運転する圧縮機を配した機械室と、冷凍サイクルの低温部に配して冷気を生成する冷却器と、前記機械室内に配して前記冷却器の除霜水を回収する蒸発皿と、前記冷凍サイクルの高温部に配して前記蒸発皿の除霜水に浸漬される凝縮器と、前記冷蔵室に配される給水タンクと、前記給水タンクから前記製氷皿に給水を行う第１給水経路と、前記給水タンクから前記蒸発皿に給水を行う第２給水経路と、を備えたことを特徴とする。
【００１０】
また本発明は、上記構成の冷蔵庫において、前記給水タンクから導出される給水パイプが給水ポンプの下流に配した切替弁を介して分岐する第１分岐部と第２分岐部とを有し、第１分岐部を介して前記製氷皿に給水するとともに第２分岐部を介して前記蒸発皿に給水することを特徴とする。
【００１１】
また本発明は、上記構成の冷蔵庫において、前記蒸発皿の貯水量を検知するセンサを備え、前記蒸発皿の貯水量が所定量以下になると、前記給水タンクの水が前記蒸発皿に導出されることを特徴とする。
【００１２】
また本発明は、上記構成の冷蔵庫において、前記凝縮器が前記蒸発皿の内底面に接して配されることを特徴とする。
【００１３】
また本発明は、上記構成の冷蔵庫において、前記冷却器の除霜水又は前記給水タンク内の水が前記凝縮器上に導かれ、前記凝縮器を伝って前記蒸発皿に回収されることを特徴とする。
【発明の効果】
【００１４】
本発明によると、給水タンクから製氷皿に給水を行う第１給水経路と、給水タンクから蒸発皿に給水を行う第２給水経路とを備えたため、給水タンクから製氷皿に給水して製氷を行うとともに、蒸発皿に給水して潜熱により凝縮器を放熱させることができる。これにより、凝縮器の放熱量を大きくし、冷蔵庫の冷却能力を向上することができる。
【図面の簡単な説明】
【００１５】
【図１】本発明の実施形態の冷蔵庫を示す側面断面図
【図２】本発明の実施形態の冷蔵庫の冷凍サイクルを示すサイクル図
【図３】本発明の実施形態の冷蔵庫の機械室を示す斜視図
【発明を実施するための形態】
【００１６】
（第１実施形態）
以下に本発明の実施形態を図面を参照して説明する。図１は一実施形態の冷蔵庫１を示す側面断面図を示している。冷蔵庫１は断熱材を充填した断熱箱体３を有する本体部２を備える。本体部２の上部には貯蔵物を冷蔵保存する冷蔵室４が設けられ、冷蔵室４の下方には貯蔵物を冷凍保存する冷凍室５が設けられる。
【００１７】
冷蔵室４及び冷凍室５の前面は断熱扉４ａ、５ａによりそれぞれ開閉される。本体部２の後方下部には断熱箱体３の下方に配される機械室６が設けられる。機械室６には冷凍サイクルを運転する圧縮機３１が配置される。
【００１８】
冷凍室５の背後には冷気が流通する冷気通路７が設けられる。冷気通路７は冷凍室５内に臨む吐出口７ａ及び戻り口７ｂが開口する。冷気通路７には冷凍サイクルの低温部となる冷却器３５が配される。
【００１９】
冷却器３５の上方には機械室内送風ファン９が配され、冷却器３５の下方には冷却器３５を除霜する除霜ヒータ３７が配される。除霜ヒータ３７の下方にはドレン皿２５及びドレンパイプ３８が設けられる。
【００２０】
冷蔵室４の背後にはダンパ（不図示）を介して冷気通路７に連通する冷気通路８が設けられる。冷気通路８には冷蔵室４内に臨む吐出口８ａが開口する。また、冷蔵室４と冷気通路７の冷却器３５の上流側とを連通させる連通路（不図示）が設けられる。
【００２１】
ドレン皿２５は冷却器３５の除霜水及び後述する給水タンク１８の水を受ける。ドレンパイプ３８の上流はドレン皿２５に接続され、下流は機械室６に接続される。ドレンパイプ３８はドレン皿２５に回収した水を機械室６内に配された蒸発皿１６（図３参照）に導く。
【００２２】
冷凍室５内には製氷室２１が設けられる。製氷室２１は断熱壁１９を介して冷蔵室４の下方に隣接し、製氷皿２２及び貯氷容器２４が配される。製氷皿２２は後述するように氷を製氷し、貯氷容器２４は製氷皿２２で製氷された氷を貯氷する。
【００２３】
冷蔵室４内には給水部１７が設けられる。給水部１７は給水タンク１８、給水パイプ２７及び給水ポンプ４６を備えている。給水タンク１８は透明な樹脂成形品により形成され、断熱壁１９上に着脱可能に設けられる。
【００２４】
給水タンク１８には給水パイプ２７が導出される。給水パイプ２７は給水ポンプ４６を配した上流部３０を有し、上流部３０の下流端に配した切替弁４７を介して第１分岐部２８及び第２分岐部２９に分岐する。第１分岐部２８は断熱壁１９を貫通して製氷皿２２上まで延設される。第２分岐部２９は断熱箱体３内を通り、ドレン皿２５上まで延設される。
【００２５】
図２は冷蔵庫１の冷凍サイクルを示すサイクル図である。冷凍サイクルは圧縮機３１の駆動によって冷媒管３６内を矢印Ａ方向に冷媒が流通して運転される。圧縮機３１の冷媒流出側には第１凝縮器３９、第２凝縮器４０が順に接続される。後述するように第１凝縮器３９は機械室６内に配され、第２凝縮器４０は断熱箱体３の側面や背面に配される。
【００２６】
第２凝縮器４０の冷媒流出側にはドライヤ３３が配され、ドライヤ３３の冷媒流出側には切替バルブ３４を介して第１経路４４及び第２経路４５に分岐する。第１経路４４には順にヒートパイプ４１及びキャピラリチューブ４２が配され、第２経路４５にはキャピラリチューブ４３が配される。
【００２７】
ヒートパイプ４１は冷蔵室４の開口部４ｂの周面及び冷凍室５の開口部５ｂの周面に設けられ、ヒートパイプ４１により結露の発生を防止する。第１、第２経路４４、４５の合流点の後段には冷却器３５が接続され、冷却器３５の冷媒流出側が圧縮機３１に接続される。
【００２８】
圧縮機３１により圧縮された高温高圧の冷媒は後述する送風ファン３２（図３参照）による強制対流によって第１凝縮器３９で放熱しながら凝縮する。第１凝縮器３９から流出した冷媒は自然対流によって第２凝縮器４０で放熱しながら凝縮する。
【００２９】
第２凝縮器４０から流出した高温の冷媒はドライヤ３３で水分が除去される。その後、切替バルブ３４の切替によって冷媒が第１経路４４または第２経路４５を流通する。第１経路４４を流通する冷媒はヒートパイプ４１を通り、開口部４ｂ、５ｂの周囲の結露を防止する。ヒートパイプ４１を流出した冷媒はキャピラリチューブ４２で膨張して低圧になる。また、第２経路４５を流通する冷媒はキャピラリチューブ４３で膨張して低圧になる。
【００３０】
キャピラリチューブ４２又はキャピラリチューブ４３から流出した低圧の冷媒は冷却器３５に流入し、冷気通路７を流通する空気から吸熱しながら蒸発して低温のガス冷媒となる。そして、低温のガス冷媒が圧縮機３１に戻り、冷媒が循環して冷凍サイクルが運転される。
【００３１】
圧縮機３１及び機械室内送風ファン９の駆動によって冷気通路７を流通する空気と冷却器３５とが熱交換して生成された冷気が吐出口７ａから冷凍室５に吐出される。吐出口７ａから吐出された冷気は冷凍室５内を流通し、戻り口７ｂを介して冷却器３５に戻る。これにより、冷凍室５内の冷却が行われる。
【００３２】
ダンパ（不図示）が開かれると冷気通路７から冷気通路８に冷気が流入し、吐出口８ａから冷蔵室４に吐出される。吐出口８ａから吐出された冷気は冷蔵室４内を流通し、連通路（不図示）を介して冷却器３５に戻る。これにより、冷蔵室４内の冷却が行われる。
【００３３】
図３は機械室６を背面から見た斜視図を示している。機械室６の両側壁６ａには複数の通気孔（不図示）を有したグリル１０が設けられる。機械室６内には背面から見て左から順に圧縮機３１、第１凝縮器３９、送風ファン３２、切替バルブ３４及びドライヤ３３が配される。
【００３４】
第１凝縮器３９及び送風ファン３２の下方には蒸発皿１６が配される。蒸発皿１６は３Ｌ程度の容量を持ち、機械室６の底面に固定される。蒸発皿１６内には蒸発皿１６内の貯水量を検知するセンサ４８が設けられる。
【００３５】
第１凝縮器３９は水冷部３９ａ及び空冷部３９ｂによって構成される。水冷部３９ａは圧縮機３１から蛇行して延びる冷媒管３６が蒸発皿１６の内底面１６ａに接して配される部分である。
【００３６】
空冷部３９ｂは水冷部３９ａの下流であって機械室内送風ファン９に面して配される。空冷部３９ｂは冷媒管３６に多数のフィン３９ｃを固着して形成される。略矩形状から成るフィン３９ｃはそれぞれが水平に配される。空冷部３９ｂの下端３９ｄは蒸発皿１６の内底面１６ａに接して配される。下端のフィン３９ｃは内底面１６ａに近接され、上端のフィン３９ｃはドレンパイプ３８（図１参照）の下端に近接する。
【００３７】
除霜ヒータ３７の駆動によって冷却器３５の除霜運転が行われ、冷却器３５が昇温される。除霜運転により発生する除霜水はドレンパイプ３８を介して空冷部３９ｂのフィン３９ｃ上に導かれ、各フィン３９ｃを伝って蒸発皿１６に回収される。空冷部３９ｂの下端３９ｄ及び水冷部３９ａは蒸発皿１６の内底面１６ａに接するため、蒸発皿１６に回収された除霜水に浸漬される。また、フィン３９ｃも除霜水によって浸漬されてもよい。
【００３８】
送風ファン３２が駆動されると、機械室６の一方に配したグリル１０の通気孔を介して機械室６内に外気が吸気される。機械室６に流入した空気によって第１凝縮器３９の空冷部３９ｂ及び圧縮機３１が冷却して放熱する。第１凝縮器３９及び圧縮機３１を冷却した空気は他方のグリル１０の通気孔を介して排気される。
【００３９】
蒸発皿１６内の水は圧縮機３１や第１凝縮器３９の熱源による機械室６内の熱により蒸発して大気中に回収される。この時、第１凝縮器３９の水冷部３９ａ及び空冷部３９ｂが除霜水の蒸発による潜熱によって放熱する。これにより、第１凝縮器３９の放熱量を大きくすることができる。
【００４０】
また、センサ４８の検知結果により蒸発皿１６内の貯水量が所定量以下になると、切替弁４７を切り替えて給水ポンプ４６は給水タンク１８から水を汲上げてドレン皿２５に給水を行う。これにより、除霜運転開始前でも蒸発皿１６内の貯水量が所定量未満になることを防ぎ、第１凝縮器３９の放熱量を大きくすることができる。
【００４１】
尚、第２分岐部２９の下端を蒸発皿１６に配して、上流部３０、第２分岐部２９により第２給水経路を構成してもよい。
【００４２】
本実施形態によると、給水タンク１８から製氷皿２２に給水を行う第１給水経路と、給水タンク１８から蒸発皿１６に給水を行う第２給水経路とを備えたため、給水タンク１８の水を用いて製氷皿２２に製氷を行うとともに、蒸発皿１６内に貯水することができる。これにより、除霜運転開始前でも蒸発皿１６に貯水して第１凝縮器３９を潜熱により放熱させることができる。これにより、第１凝縮器３９の放熱量を大きくし、冷蔵庫１の冷却能力を向上することができる。
【００４３】
また、給水タンク１８から導出される給水パイプ２７が給水ポンプ４６の下流に配した切替弁４７を介して分岐する第１分岐部２８と第２分岐部２９とを有し、第１分岐部２８を介して製氷皿２２に給水するとともに第２分岐部２９を介して蒸発皿１６に給水するため、一つの給水ポンプ４６により製氷皿２２と蒸発皿１６に給水することができる。
【００４４】
また、蒸発皿１６の貯水量を検知するセンサ４８を備え、蒸発皿１６の貯水量が所定量以下になると、給水タンク１８の水が蒸発皿１６に導出される。このため、常に蒸発皿１６には水が貯水され、第１凝縮器３９の放熱量を大きくし、冷蔵庫１の冷却能力を向上することができる。
【００４５】
また、第１凝縮器３９が蒸発皿１６の内底面１６ａに接して水に浸漬されるため、確実に第１凝縮器３９が蒸発皿１６内の水に浸漬される。これにより、確実に第１凝縮器３９の放熱量を大きくし、冷蔵庫１の冷却能力を向上することができる。
【００４６】
また、冷却器３５の除霜水又は給水タンク１８内の水が第１凝縮器３９上に導かれ、第１凝縮器３９を伝って蒸発皿１６に回収されるため、第１凝縮器３９の放熱量をより大きくし、冷蔵庫１の冷却能力を向上することができる。
【産業上の利用可能性】
【００４７】
本発明によると、機械室内に除霜水を回収する蒸発皿を備えた冷蔵庫に利用することができる。
【符号の説明】
【００４８】
１      冷蔵庫
２      本体部
３      断熱箱体
４      冷蔵室
５      冷凍室
６      機械室
６ａ    側壁
６ｂ    通気孔
７、８  冷気通路
９      機械室内送風ファン
１０    グリル
１６    蒸発皿
１６ａ  内底面
１７    給水部
１８    給水タンク
１９    断熱壁
２０    製氷部
２１    製氷室
２２    製氷皿
２４    貯氷容器
２５    ドレン皿
２７    給水パイプ
２８    第１分岐部
２９    第２分岐部
３０    上流部
３１    圧縮機
３２    送風ファン
３３    ドライヤ
３４    切替バルブ
３５    冷却器
３６    冷媒管
３７    除霜ヒータ
３８    ドレンパイプ
３９    第１凝縮器
３９ａ  水冷部
３９ｂ  空冷部
３９ｃ  フィン
３９ｄ  下端
４０    第２凝縮器
４１    ヒートパイプ
４２、４３    キャピラリチューブ
４４    第１経路
４５    第２経路
４６    給水ポンプ
４７    切替弁
４８    センサ
【図１】
2014048031.tif 000003
【図２】
2014048031.tif 000004
【図３】
2014048031.tif 000005